Podtech/llm-jp-corpus-v4-ja_patent huggingface dataset:
【手続補正書】
【提出日】平成22年6月18日(2010.6.18)
【手続補正１】
【補正対象書類名】明細書
【補正対象項目名】００３１
【補正方法】変更
【補正の内容】
【００３１】
当然のことながら、本明細書に記載する種々の実施形態の特徴の１つ、一部、もしくはすべてを、本発明の他の実施形態を形成するために組み合わせることが可能である。
本発明は、例えば以下の項目を提供する。
（項目１）
ＣＲ２−ＦＨ分子であって、ａ）ＣＲ２またはその断片を含むＣＲ２部分と、ｂ）ＦＨまたはその断片を含むＦＨ部分を含み、前記ＣＲ２−ＦＨ分子がＣＲ２リガンドに結合することが可能であり、かつ前記ＣＲ２−ＦＨ分子が補体活性化副経路の補体活性化を抑制することが可能である、ＣＲ２−ＦＨ分子。
（項目２）
前記ＣＲ２部分がＣＲ２の少なくとも最初の２つのＮ末端ＳＣＲドメインを含む、項目１に記載のＣＲ２−ＦＨ分子。
（項目３）
前記ＣＲ２部分がＣＲ２の少なくとも最初の４つのＮ末端ＳＣＲドメインを含む、項目１に記載のＣＲ２−ＦＨ分子。
（項目４）
前記ＦＨ部分がＦＨの少なくとも最初の４つのＳＣＲドメインを含む、項目１に記載のＣＲ２−ＦＨ分子。
（項目５）
前記ＦＨ部分がＦＨの少なくとも最初の５つのＳＣＲドメインを含む、項目１に記載のＣＲ２−ＦＨ分子。
（項目６）
前記ＣＲ２−ＦＨ分子が２つ以上のＦＨ部分を含む、項目１に記載のＣＲ２−ＦＨ分子。
（項目７）
前記ＣＲ２部分がＣＲ２の最初の４つのＮ末端ＳＣＲドメインを含み、かつ前記ＦＨ部分がＦＨの最初の５つのＳＣＲドメインを含む、項目１に記載のＣＲ２−ＦＨ分子。
（項目８）
前記ＣＲ２部分が配列番号１の２３〜２７１のアミノ酸を含み、かつ前記ＦＨ部分が配列番号２のアミノ酸２１〜３２０を含む、項目７に記載のＣＲ２−ＦＨ分子。
（項目９）
前記ＣＲ２−ＦＨ分子が融合タンパク質である、項目１に記載のＣＲ２−ＦＨ分子。
（項目１０）
項目９に記載の融合タンパク質をコードするポリヌクレオチド。
（項目１１）
項目１０に記載のポリヌクレオチドをコードするベクター。
（項目１２）
項目１１に記載のポリヌクレオチドを含む宿主細胞。
（項目１３）
医薬組成物であって、項目１に記載のＣＲ２−ＦＨ分子および薬学的に許容される担体を含む、医薬組成物。
（項目１４）
前記組成物が眼内投与、静脈内投与、動脈内投与、皮下投与、気管内投与、または吸入投与に適している、項目１３に記載の組成物。
（項目１５）
個体において補体活性化副経路が関与する疾患を治療する方法であって、前記個体に項目１３に記載の医薬組成物の有効量を投与することを含む、方法。
（項目１６）
前記補体活性化副経路が関与する前記疾患が黄斑変性症、関節リウマチ、虚血再灌流障害、臓器移植拒絶反応、ＭＰＧＮ  ＩＩ、ＨＵＳ、およびループス腎炎のいずれかである、項目１５に記載の方法。
（項目１７）
補体活性化副経路が関与する前記疾患が加齢黄斑変性症である、項目１６に記載の方法。
（項目１８）
補体活性化副経路が関与する前記疾患が虚血再灌流障害である、項目１６に記載の方法。
（項目１９）
補体活性化副経路が関与する前記疾患が臓器移植拒絶反応である、項目１６に記載の方法。
【手続補正２】
【補正対象書類名】特許請求の範囲
【補正対象項目名】全文
【補正方法】変更
【補正の内容】
【特許請求の範囲】
【請求項１】
補体受容体２（「ＣＲ２」）−Ｈ因子（「ＦＨ」）分子であって、ａ）ＣＲ２またはその断片を含むＣＲ２部分と、ｂ）ＦＨまたはその断片を含むＦＨ部分を含み、前記ＣＲ２−ＦＨ分子のＣＲ２部分がＣＲ２リガンドに結合することが可能であり、かつ前記ＣＲ２−ＦＨ分子のＦＨ部分が補体活性化副経路の補体活性化を抑制することが可能である、ＣＲ２−ＦＨ分子。
【請求項２】
前記ＣＲ２部分がＣＲ２の少なくとも最初の２つのＮ末端ＳＣＲドメインを含む、請求項１に記載のＣＲ２−ＦＨ分子。
【請求項３】
前記ＣＲ２部分がＣＲ２の少なくとも最初の４つのＮ末端ＳＣＲドメインを含む、請求項１に記載のＣＲ２−ＦＨ分子。
【請求項４】
前記ＦＨ部分がＦＨの少なくとも最初の４つのＮ末端ＳＣＲドメインを含む、請求項１に記載のＣＲ２−ＦＨ分子。
【請求項５】
前記ＦＨ部分がＦＨの少なくとも最初の５つのＮ末端ＳＣＲドメインを含む、請求項１に記載のＣＲ２−ＦＨ分子。
【請求項６】
前記ＣＲ２−ＦＨ分子が２つ以上のＦＨ部分を含み、ここで該２つ以上のＦＨ部分はそれぞれ、補体活性化副経路の補体活性化を抑制することが可能である、ＦＨまたはその断片を含む、請求項１に記載のＣＲ２−ＦＨ分子。
【請求項７】
前記ＣＲ２部分がＣＲ２の最初の４つのＮ末端ＳＣＲドメインを含み、かつ前記ＦＨ部分がＦＨの最初の５つのＮ末端ＳＣＲドメインを含む、請求項１に記載のＣＲ２−ＦＨ分子。
【請求項８】
前記ＣＲ２部分が配列番号１の２３〜２７１のアミノ酸を含み、かつ前記ＦＨ部分が配列番号２のアミノ酸２１〜３２０を含む、請求項７に記載のＣＲ２−ＦＨ分子。
【請求項９】
前記ＣＲ２−ＦＨ分子が融合タンパク質である、請求項１に記載のＣＲ２−ＦＨ分子。
【請求項１０】
請求項９に記載の融合タンパク質をコードするポリヌクレオチド。
【請求項１１】
請求項１０に記載のポリヌクレオチドをコードするベクター。
【請求項１２】
請求項１１に記載のポリヌクレオチドを含む宿主細胞。
【請求項１３】
医薬組成物であって、請求項１に記載のＣＲ２−ＦＨ分子および薬学的に許容される担体を含む、医薬組成物。
【請求項１４】
前記組成物が眼内投与、静脈内投与、動脈内投与、皮下投与、気管内投与、または吸入投与に適している、請求項１３に記載の医薬組成物。
【請求項１５】
個体において補体活性化副経路が関与する疾患を治療するための請求項１３に記載の医薬組成物。
【請求項１６】
前記補体活性化副経路が関与する前記疾患が黄斑変性症、関節リウマチ、虚血再灌流障害、臓器移植拒絶反応、膜性増殖性糸球体腎炎ＩＩ型（「ＭＰＧＮ  ＩＩ」）、溶血性尿毒症候群（「ＨＵＳ」）、およびループス腎炎のいずれかである、請求項１５に記載の組成物。
【請求項１７】
補体活性化副経路が関与する前記疾患が加齢黄斑変性症である、請求項１６に記載の組成物。
【請求項１８】
補体活性化副経路が関与する前記疾患が虚血再灌流障害である、請求項１６に記載の組成物。
【請求項１９】
補体活性化副経路が関与する前記疾患が臓器移植拒絶反応である、請求項１６に記載の組成物。
【請求項２０】
前記ＨＵＳがＨ因子に関連する、請求項１６に記載の組成物。
【請求項２１】
補体活性化副経路が関与する疾患を有する個体を治療するための請求項１３に記載の組成物であって、該疾患は、微小血管症性溶血性貧血、血小板減少症、および急性腎不全を含む症状により特徴付けられる、組成物。
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
（ａ）ＣＭＶ感染細胞上で発現される、構成的にインターナライズするヒトＵＳ２８受容体に結合するＣＸ３Ｃケモカインの変異体であるリガンド、及び（ｂ）ＣＭＶ感染細胞に対して細胞傷害性である毒素を含む免疫毒素であって、
リガンドが、ヒトＣＸ3ＣＬ１（配列番号２）に対して少なくとも６７％のアミノ酸配列同一性を有する変異体であり、かつ
リガンドが、ＣＸ３ＣＲ１と比較してＵＳ２８に特異的に結合し、かつ
リガンドが１０-８Ｍ以下のＫｄでＵＳ２８に結合する、前記免疫毒素。
【請求項２】
ＣＸ３Ｃケモカインが、ヒト、マウス、ラット、ウサギ、家禽、ブタ、ウマ、アカゲザル、オランウータン、ウシ、イヌもしくはウイルスを起源とするＣＸ３ＣＬ１の変異体である、請求項１に記載の免疫毒素。
【請求項３】
リガンドが、ＣＸ３ＣケモカインとＣＣケモカイン、ＸＣケモカイン及びＣＸＣケモカインから成る群より選択されるケモカインとの間のキメラである、請求項１または２に記載の免疫毒素。
【請求項４】
リガンドが、ヒトＣＸ3ＣＬ１のケモカインドメイン（配列番号２の２５〜１００位）に対して少なくとも６７％のアミノ酸配列同一性を有する変異体である、請求項１に記載の免疫毒素。
【請求項５】
リガンドが１０-９Ｍ未満のＫｄでＵＳ２８受容体に結合する；及び／又はリガンドが１０-6Ｍ又はそれ以上のＫｄでＣＸ３ＣＲ１受容体に結合する、請求項１から４のいずれか１項に記載の免疫毒素。
【請求項６】
（ａ）リガンドが以下の変異体：配列番号２の３１位で変異した変異体、配列番号２の３８位の変異体、配列番号２の４２位で変異した変異体、配列番号２の６０位で変異した変異体、配列番号２の６１位で変異した変異体、配列番号２の６８位で変異した変異体、配列番号２の７１位で変異した変異体、配列番号２の７２位で変異した変異体、及び配列番号２の７３位で変異した変異体から成る群より選択される：
（ｂ）リガンドが以下の変異体：配列番号２の３１位がアラニンに変異した変異体、配列番号２の３１位がグルタミン酸に変異した変異体、配列番号２の３８位がアラニンに変異した変異体、配列番号２の３８位がグルタミン酸に変異した変異体、配列番号２の４２位がアラニンに変異した変異体、配列番号２の４２位がグルタミン酸に変異した変異体、配列番号２の６０位がアラニンに変異した変異体、配列番号２の６０位がグルタミン酸に変異した変異体、配列番号２の６１位がアラニンに変異した変異体、配列番号２の６１位がグルタミン酸に変異した変異体、配列番号２の６８位がアラニンに変異した変異体、配列番号２の６８位がグルタミン酸に変異した変異体、配列番号２の７１位がアラニンに変異した変異体、配列番号２の７１位がグルタミン酸に変異した変異体、配列番号２の７１位がグルタミンに変異した変異体、配列番号２の７２位がアラニンに変異した変異体、配列番号２の７３位がアラニンに変異した変異体及び配列番号２の７３位がロイシンに変異した変異体から成る群より選択される；又は
（ｃ）リガンドが、配列番号２の３３位、３４位及び３５位の１又はそれ以上のアミノ酸残基が変異している変異体である、
請求項１から５のいずれか１項に記載の免疫毒素。
【請求項７】
（ａ）ＣＭＶ感染細胞上で発現される、構成的にインターナライズするヒトＵＳ２８受容体に結合する抗体又はそのフラグメントであるリガンド、及び（ｂ）ＣＭＶ感染細胞に対して細胞傷害性である毒素を含む免疫毒素であって、
リガンドが、ＣＸ３ＣＲ１と比較してＵＳ２８に特異的に結合し、かつ
リガンドが１０-８Ｍ以下のＫｄでＵＳ２８に結合する、前記免疫毒素。
【請求項８】
毒素が、ゲロニン、ブガニン、サポリン、リシン、リシンＡ鎖、ブリョジン、ジフテリア、レストリクトシン、ジフテリア毒素、シュードモナス属外毒素Ａ及びそれらの変異体から成る群より選択される、請求項１〜７のいずれか１項に記載の免疫毒素。
【請求項９】
毒素がシュードモナス属外毒素Ａ又はその変異体である、請求項８に記載の免疫毒素。
【請求項１０】
毒素がＰＥ３８ＫＤＥＬ（配列番号９）である、請求項９に記載の免疫毒素。
【請求項１１】
（ａ）免疫毒素が、ＣＸ3ＣＬ１（配列番号２の２５〜１００位）及びＰＥ３８ＫＤＥＬ（配列番号９）のケモカインドメインの変異体を含む；及び／又は
（ｂ）免疫毒素が、配列番号１１を含む、請求項１０に記載の免疫毒素。
【請求項１２】
治療において使用するための、請求項１から１１のいずれか１項に記載の免疫毒素。
【請求項１３】
治療が、ＣＭＶ感染の治療又は予防である、請求項１２に記載の治療において使用するための免疫毒素。
【請求項１４】
ＣＭＶ感染の治療又は予防のための薬剤を調製するための、請求項１から１１のいずれか１項に記載の免疫毒素の使用。
【請求項１５】
薬剤が、ＣＭＶ感染又はＣＭＶ感染の何らかの症状の確立又は進行を予防するためのものである、請求項１４に記載の免疫毒素の使用。
【請求項１６】
（ａ）ＣＭＶ感染が、網膜、心臓、肝臓、肺、脾臓又は血液細胞から成る群より選択される組織に局在する；又は
（ｂ）ＣＭＶ感染が、ＨＩＶ患者、新生児及び免疫抑制患者、骨髄移植患者及び固形器官移植患者から成る群より選択される免疫無防備状態患者の感染である；又は
（ｃ）ＣＭＶ感染が、冠動脈疾患に罹患している患者の感染である、
請求項１３から１５のいずれか１項に記載の使用。
【請求項１７】
請求項１から１１のいずれか１項に記載の免疫毒素又はその生理的に許容される塩、及び医薬的に許容される担体を含有する医薬組成物。
【請求項１８】
組成物が、１又はそれ以上の抗ウイルス薬若しくは免疫抑制薬と同時に、別々に又は連続的に投与される、請求項１７に記載の医薬組成物。
【請求項１９】
（ａ）請求項１から１１のいずれか１項に記載の免疫毒素の有効量及び（ｂ）抗ウイルス薬又は免疫抑制薬を含む、ＣＭＶ感染の治療又は予防のためのキットであって、（ａ）及び（ｂ）は、同時、別々又は連続的な投与のためのものである、前記キット。
【請求項２０】
請求項１から１１のいずれか１項に記載の免疫毒素をコードする配列を含む核酸配列。
【請求項２１】
適切な宿主において免疫毒素の生産を指令する１又はそれ以上の制御配列に作動可能に連結された請求項２０に記載のヌクレオチド配列を含む組換え発現ベクター。
【請求項２２】
請求項２１に記載の発現ベクターを含む組換え宿主細胞。
【手続補正書】
【提出日】平成22年4月16日(2010.4.16)
【手続補正１】
【補正対象書類名】特許請求の範囲
【補正対象項目名】全文
【補正方法】変更
【補正の内容】
【特許請求の範囲】
【請求項１】
少なくとも１０重量％の水、少なくとも５重量％の１以上のビタミン、ヒマシ油アルコキシレートのモル当たり平均で１５〜２５モルのエチレンオキシ単位を有するヒマシ油アルコキシレート、及び任意的に追加の添加物を含む水性ビタミン組成物。
【請求項２】
該ヒマシ油アルコキシレートがヒマシ油エトキシレートである、請求項１に記載の組成物。
【請求項３】
少なくとも１のビタミンが脂溶性である、請求項１又は２に記載の組成物。
【請求項４】
ビタミンの重量部当たり、０．５〜１．５、好ましくは０．７５〜１．３重量部のヒマシ油アルコキシレートを含む、請求項１〜３のいずれか１項に記載の組成物。
【請求項５】
５０重量％までのビタミンを含む、請求項１〜４のいずれか１項に記載の組成物。
【請求項６】
請求項１のビタミン組成物が飼料に添加されるところの、動物飼料を作る方法。
【請求項７】
該ビタミン組成物が、該飼料にスプレーされるところの、請求項６に記載の方法。
【請求項８】
該飼料が、該ビタミン溶液によりスプレーされる前に、ペレット化され及び好ましくは冷却されるところの、請求項７に記載の方法。
【請求項９】
請求項１に記載のビタミン組成物を、該ビタミンを動物に投与する為に、使用する方法。
【請求項１０】
該ビタミン組成物が、該動物の飼料に添加されるところの、請求項９に記載の方法。
【請求項１１】
該ビタミン組成物が、該動物の飲料水に添加されるところの、請求項９に記載の方法。
【請求項１２】
パーソナルケア組成物の調製において、請求項１に記載のビタミン組成物を使用する方法。
【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
リンカーを含む第１の繊維状ポリマー足場と、
ヘパリン、ヘパリン硫酸、ヘパリン硫酸プロテオグリカン、およびそれらの組み合わせから選択されるメンバーを含む生体分子と、
を含む医療医療具であって、前記生体分子は、アミド結合を介して前記リンカーに結合している、医療具。
【請求項２】
前記リンカーは、ジアミノポリ（エチレングリコール）、ポリ（エチレングリコール）、およびそれらの組み合わせから選択されるメンバーである、請求項１に記載の医療具。
【請求項３】
前記繊維状ポリマー足場の繊維が、ポリ(ラクチド）、ポリ(Ｌ−ラクチド）、ポリ(グリコリド）、乳酸（Ｄ−またはＬ−）、ラクチド、ポリ（乳酸）、ポリ（ラクチド）グリコール酸、ポリ（グリコール酸）、ポリ（グリコリド）、グリコリド、ポリ（ラクチド−ｃｏ−グリコリド）、ポリ（乳酸−ｃｏ−グリコール酸）、ポリカプロラクトンおよびそれらの組合せから選択されるメンバーを含む、請求項１に記載の医療具。
【請求項４】
前記第１の繊維状ポリマー足場が、約０．０１ｃｍ〜約２０ｃｍ、約０．０５ｃｍ〜約５ｃｍ、約０．５ｃｍ〜約５ｃｍ、約１ｃｍ〜約５ｃｍ、約２ｃｍ〜約５ｃｍ、約１ｃｍ〜約３ｃｍ、約２ｃｍ〜約１０ｃｍ、および約５ｃｍ〜約１５ｃｍから選択されるメンバーである長さを有する、請求項１に記載の医療具。
【請求項５】
前記第１の繊維状ポリマー足場の繊維が、長手方向および円周方向から選択されるメンバーである方向に本質的に整列している、請求項１に記載の医療具。
【請求項６】
前記第１の繊維状ポリマー足場がシームレスである、請求項１に記載の医療具。
【請求項７】
前記第１の繊維状ポリマー足場が一体型として形成されている、請求項１に記載の医療具。
【請求項８】
前記第１の繊維状ポリマー足場の繊維が、脂肪族ポリエステル、ポリアルキレンオキシド、ポリジメチルシロキサン、ポリカプロラクトン、ポリリシン、コラーゲン、ラミニン、フィブロネクチン、エラスチン、アルギン酸、フィブリン、ヒアルロン酸、プロテオグリカン、ポリペプチドおよびそれらの組合せから選択されるメンバーであるポリマーまたはサブユニットを含む、請求項１に記載の医療具。
【請求項９】
前記リンカーが、ペプチド、糖類、ポリ（エーテル）、ポリ（アミン）、ポリ（カルボン酸）、ポリ（アルキレングリコール）、ポリ（エチレングリコール）、ポリ（プロピレングリコール）、エチレングリコールおよびプロピレングリコールのコポリマー、ポリ（オキシエチル化ポリオール）、ポリ（オレフィンアルコール）、ポリ（ビニルピロリドン）、ポリ（ヒドロキシプロピルメタクリルアミド）、ポリ（α−ヒドロキシ酸）、ポリ（ビニルアルコール）、ポリホスファゼン、ポリオキサゾリン、ポリ（Ｎ−アクリロイルモルホリン）、ポリシアル酸、ポリグルタミン酸、ポリアスパラギン酸、ポリリシン、ポリエチレンイミン、ポリラクチド、ポリグリセリドおよびそれらのコポリマー、ならびにポリアクリル酸から選択されるメンバーを含む、請求項１に記載の医療具。
【請求項１０】
前記第１の繊維状ポリマー足場の導管または充填導管の外面を取り囲み、かつ、前記第１の繊維状ポリマー足場の導管または充填導管の内腔内には位置しないスリーブをさらに含む、請求項１に記載の医療具。
【請求項１１】
前記スリーブが第２の繊維状ポリマー足場を含む、請求項１０に記載の医療具。
【請求項１２】
前記第１の繊維状ポリマー足場の第１の端部を取り囲む第１のスリーブと、前記第１の繊維状ポリマー足場の第２の端部を取り囲む第２のスリーブとをさらに含む、請求項１０に記載の医療具。
【請求項１３】
細胞をさらに含む、請求項１に記載の医療具。
【請求項１４】
前記細胞が、成体血管細胞、血管前駆細胞、および血管幹細胞から選択されるメンバーである、請求項１３に記載の医療具。
【請求項１５】
前記第１の繊維状ポリマー足場の繊維が、エレクトロスピニングされる、請求項１に記載の医療具。
【請求項１６】
約０．０１ｍｍ〜約６ｍｍの内径または約３ｍｍ〜約６ｍｍの内径を有する、請求項１に記載の医療具。
【請求項１７】
管状である、請求項１に記載の医療具。
【請求項１８】
動静脈シャントおよび血液透析アクセス移植片から選択されるメンバーである、請求項１に記載の医療具。
【請求項１９】
少なくとも（ｉ）損傷を治療するのに十分な条件下において対象の損傷部位に医療具を付着させることによって対象において損傷を治療するための、請求項１に記載の医療具。
【請求項２０】
前記損傷部位が、頸動脈および膝下の脈管組織から選択されるメンバーである、請求項１９に記載の医療具。
【請求項２１】
前記損傷が、切断された血管を伴い、前記第１の繊維状ポリマー足場が、第１の端部および第２の端部を含む導管または充填導管形状を有し、前記切断された血管が第１の血管断端および第２の血管断端を含み、前記付着が、
（ｉｉ）前記医療具の前記第１の端部を前記第１の血管断端に結合させることと、
（ｉｉｉ）前記医療具の前記第２の端部を前記第２の血管断端に結合させることと
を含む、請求項１９に記載の医療具。
【請求項２２】
少なくとも（ｉ）血管の成長を増進するのに十分な条件下において対象における血管成長部位に医療具を付着させることによって対象において血管の成長を増進するための、請求項１に記載の医療具。
【請求項２３】
（ｉ）（ａ）リンカーと、
（ｂ）ポリ（ラクチド）、ポリ（Ｌ−ラクチド）、ポリ（グリコリド）、乳酸（Ｄ−またはＬ−）、ラクチド、ポリ（乳酸）、ポリ（ラクチド）グリコール酸、ポリ（グリコール酸）、ポリ（グリコリド）、グリコリド、ポリ（ラクチド−ｃｏ−グリコリド）、ポリ（乳酸−ｃｏ−グリコール酸）、ポリカプロラクトンおよびそれらの組合せから選択されるメンバーと、
を含む第１の繊維状ポリマー足場を提供する工程と、
（ｉｉ）前記生体分子との結合を促進するように前記リンカーを処理する工程と、
（ｉｉｉ）前記生体分子を前記リンカーに結合させる工程と、
を含む、請求項１に記載の医療具の作製方法。
【請求項２４】
前記結合工程がカルボジイミド化学によって行われる、請求項２３に記載の方法。
【請求項２５】
前記処理工程が、ＥＤＣ／スルホ−ＮＨＳによる処理によって行われる、請求項２３に記載の方法。
【請求項２６】
前記提供工程が、繊維を回転マンドレルを含むエレクトロスピニング工程にかけて第１の繊維状ポリマー足場を形成する工程を含む、請求項２３に記載の方法。
【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
種子を処理する方法であって、該方法は、
実質的に定常期まで増殖した細菌を含む液体接種材料に、乾燥剤を含む乾燥処理剤を加えて部分的に乾燥した液体接種材料製品を形成し；
部分的に乾燥した液体接種材料製品を馴化段階に入れ；及び
部分的に乾燥した液体接種材料製品を、種子１００ポンド(４５．４ｋｇ)当たり１．５〜４．０液量オンス(４．４〜１１．８×１０-5ｍ3)の比率で、種子に施与することを含むことを特徴とする当該方法。
【請求項２】
部分的に乾燥した液体接種材料製品を、種子１００ポンド(４５．４ｋｇ)当たり２．０〜３．２液量オンス(５．９〜９．５×１０-5ｍ3)で施与する、請求項１に記載の方法。
【請求項３】
部分的に乾燥した接種材料製品が、部分的に乾燥した液体接種材料製品並びに少なくとも一種の水及び殺生物性化合物を含む混合物として種子に施与される、請求項２に記載の方法。
【請求項４】
部分的に乾燥した液体接種材料製品及び水を、３．５〜６．０液量オンス(１０．４〜１７．７×１０-5ｍ3)／種子１００ポンド(４５．４ｋｇ)の合わせた比率で種子に施与する、請求項３に記載の方法。
【請求項５】
混合物が、部分的に乾燥した液体接種材料製品及び少なくとも一種の殺生物性化合物を含み、該混合物が、種子に、種子１００ポンド(４５．４ｋｇ)当たり９．２液量オンス(２７．２×１０-5ｍ3)未満の比率で施与され、少なくとも一つの該殺生性化合物が一つ以上の殺虫剤、殺真菌剤、除草剤、殺菌剤、農薬、殺ウイルス剤、ダニ駆除剤、殺ダニ剤、殺線虫剤、殺鼠剤又はこれらの組合せを含む、請求項２に記載の方法。
【請求項６】
細菌が、Rhizobium、Bradyrhizobium、Sinorhizobium、Mesorhizobium、Pseudomonas、Serratia、Bacillus、Pasteuria、Azotobacter、Enterobacter、Azospirillum、及び Cyanobacteria属の少なくとも一つである、請求項１に記載の方法。
【請求項７】
乾燥剤が、トレハロース、スクロース、グリセロール、トリエチレングリコール、ソルビトール及びマンニトールの少なくとも一つである、請求項１に記載の方法。
【請求項８】
乾燥剤が、トレハロースを含み、種子が大豆、ルーサン、ピーナッツ、エンドウマメ、レンズマメ、インゲンマメからの種子で成る群から選択される請求項７に記載の方法。
【請求項９】
トレハロースが、部分的に乾燥した液体接種材料製品の２０〜３０％(重量／体積)を構成する、請求項８に記載の方法。
【請求項１０】
乾燥剤が、部分的に乾燥した液体接種材料製品の５〜５０％(重量／体積)である、請求項１に記載の方法。
【請求項１１】
１０週間後の種子上の細菌数が、１×１０5を超える、請求項１に記載の方法。
【請求項１２】
馴化段階が、２〜３日である、請求項１に記載の方法。
【請求項１３】
種子を処理する方法であって、該方法は：
下記を含む超濃縮物を種子上に投与すること：
細菌、水、少なくとも一種の乾燥剤、及び少なくとも一種のポリマー；及び
少なくとも一種の乾燥剤及び少なくとも一種のポリマーを含む調節剤を該種子に投与することを含み；
該超濃縮物を、種子１００ポンド(４５．４ｋｇ)当たり０．１〜０．５ｆｌ ｏｚ.(３．０〜１４．８×１０-6ｍ3)の適用比率で投与すること及び該調節剤を種子１００ポンド(４５．４ｋｇ)当たり１．２〜２．５ｆｌ ｏｚ.(３．５〜７．４×１０-5ｍ3)の比率で投与することを特徴とする当該方法。
【請求項１４】
超濃縮物中の細菌濃度が、１×１０11〜１×１０12ｃｆｕ／ｍｌである、請求項１３に記載の方法。
【請求項１５】
超濃縮物を、種子に、種子１００ポンド(４５．４ｋｇ)当たり０．２ｆｌ ｏｚ.(０．５９×１０-5ｍ3)の適用比率で投与し、調節剤を、種子１００ポンド(４５．４ｋｇ)当たり１．８ｆｌ ｏｚ.(５．３×１０-5ｍ3)の適用比率で投与する、請求項１３に記載の方法。
【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
患者の一部のスキャン画像を取得する装置であって、
患者支持台と、
患者の一部の画像を得るための磁気共鳴イメージングシステムと、を含み、
該磁気共鳴イメージングシステムは、
磁界を制御及び変化させるための制御システムと共に使用するための磁石と、
前記患者の一部に隣接して位置付けられるように構成されたＲＦプローブを包含する、磁界に反応して、患者の一部から核磁気共鳴信号を導き出し検出するための無線周波数伝送及び検出システムと、
検出した信号を復号化及び表示するためのコンピュータ及びディスプレイモニタと、を含み、
前記磁石は水平軸を取り囲む円筒状内腔を構成し、該内腔の２つの端部を有するとともに、患者が台上で適所に位置付けられた状態で磁石の磁界内に横たわるように、患者の一部が該内腔内に配置されるように構成されるものとする装置であって、
前記磁石を収納する中央磁石保持ベイおよび該保持ベイの周囲に間隔を置いて配置される複数の部屋を有し、
前記磁石は長手方向にその軸心に沿って移動可能とし、
該磁石は、縦軸を中心にして少なくとも１８０°回転するように装着されるとともに、
前記磁石は選択された一方の端部を前にして移動し前記部屋へ入るものとすることを特徴とする装置。
【請求項２】
請求項１に記載の装置であって、前記磁石が、縦方向に移動可能である装置。
【請求項３】
請求項１または２に記載の装置であって、前記磁石が、該磁石の前端を患者に隣接した位置に向って移動させるために、縦軸を中心に回転可能である装置。
【請求項４】
請求項１〜３のいずれか一項に記載の装置であって、前記磁石が、レール上に担持された支持体上で長手方向に移動可能であり、該磁石の前面の向きを変えて、レールに沿って一方向又は他方向に面することができるように、該磁石を支持体に接続する装着リングが設けられた装置。
【請求項５】
請求項１〜４のいずれか一項に記載の装置であって、前記台が、患者が診察台に横たわ
る及びイメージングが実行される部屋内に延伸し得る前記磁石により担持された診察台である装置。
【請求項６】
請求項１〜５のいずれか一項に記載の装置であって、前記台が、患者が診察台に横たわる及びイメージングが実行される部屋内に延伸し得る前記磁石の相対運動のために部屋内の適所にとどまる外科用台である装置。
【請求項７】
請求項１〜６のいずれか一項に記載の装置であって、前記磁石の回転によってそれぞれ前記磁石ベイと共働する３つの部屋が構成されるものである装置。
【請求項８】
請求項７に記載の装置であって、前記部屋が、部屋への扉が開くときに、前記磁石保持ベイが該部屋の一部となるように構成されている装置。
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
バッグの周囲に、当該バッグと共に巻きつけた持ち運び可能で、延在可能な毛布であって、当該毛布が４辺に連結手段を有し、この連結手段によって複数の毛布を互いに連結させることができ、前記毛布が上側連結手段（Ｃ）と下側連結手段（Ｄ）によって前記バッグに締結可能であり、長手方向の辺の連結手段（Ａ、Ｂ）が互いに連結された折りたたんだ状態にある前記毛布が、前記バッグの周囲に巻きつけられていることを特徴とする、毛布。
【請求項２】
請求項１に記載のバッグの周囲に、当該バッグと共に巻きつけた持ち運び可能で、延在可能な毛布において、前記毛布が複数の毛布を互いに連結するファスナー半片（Ａ、Ｂ、Ｃ、Ｄ）を４辺に有し、折りたたまれて前記バッグの周囲に巻きつけた状態の毛布が、長手方向の辺のファスナー半片（Ａ、Ｂ）によって互いに連結され、上側ファスナー半片（Ｃ）と下側ファスナー半片（Ｄ）によってバッグに設けたファスナー半片（Ｃ、Ｄ）に締結可能であることを特徴とする毛布。
【請求項３】
請求項１に記載のバッグの周囲に、当該バッグと共に巻きつけた持ち運び可能で、延在可能な毛布において、前記毛布が、ホックアンドバリ（hook-and-burr）ファスナー片、スナップおよびその下位範疇、カブリオーレフードファスナー（cabriolet hood fastener）、並びにスタッド（stud）によってその他の毛布にも連結可能であるか、あるいは、前記バッグに締結可能であることを特徴とする毛布。
【請求項４】
請求項１乃至３のいずれか１項に記載のバッグの周囲に、当該バッグと共に巻きつけた持ち運び可能で、延在可能な毛布において、前記毛布が前記バッグの外側で締結されていることを特徴とする毛布。
【請求項５】
請求項１、２及び４のいずれか１項に記載のバッグの周囲に、当該バッグと共に巻きつけた持ち運び可能で、延在可能な毛布において、前記バッグに締結するための前記ファスナー半片（Ｃ、Ｄ）が、これら半片がしっかり締結されている前記毛布の側長の一部のみをカバーしていることを特徴とする毛布。
【請求項６】
請求項１、２、４、及び５のいずれか１項に記載のバッグの周囲に、当該バッグと共に巻きつけた持ち運び可能で、延在可能な毛布において、前記バッグに締結するための前記ファスナー半片（Ｃ、Ｄ）の長さが、当該半片がしっかり締結されている前記毛布の側長の長さのちょうど半分であることを特徴とする毛布。
【請求項７】
請求項１、２、４乃至６のいずれか１項に記載のバッグの周囲に、当該バッグと共に巻きつけた持ち運び可能で、延在可能な毛布において、前記ファスナー半片（Ｃ、Ｄ）間の前記毛布の長さが、前記ファスナー半片（Ｃ、Ｄ）の包囲スペースに対応し、前記毛布が、前記バッグの周囲に巻きつけ可能とするために、１回あるいは数回折りたたまれることを特徴とする毛布。
【手続補正書】
【提出日】平成22年6月1日(2010.6.1)
【手続補正１】
【補正対象書類名】特許請求の範囲
【補正対象項目名】全文
【補正方法】変更
【補正の内容】
【特許請求の範囲】
【請求項１】
清浄化のために対象物を受け入れるようになっているチャンバ（３）と、前記チャンバ（３）で液体を散布するノズルを包含する噴霧装置（１７）とを包含する消毒装置の消毒プログラムにおいて液体移送を行う方法であって、第１所定量の液体を前記チャンバ（３）に導入する工程と、チャンバ（３）から清浄化しようとしている対象物のところで前記第１所定量の液体を散布するノズルを含む前記噴霧装置（１７）まで液体を圧送することによって、前記第１所定量の液体を循環させる工程と、その後、前記チャンバ（３）と出口タンク（１８）とを液体流通接続し、前記チャンバと前記出口タンクとの間に配置したいかなる配管もなく、前記チャンバ（３）から前記出口タンクまで前記第１所定量の液体の即時移送を行わせる急速移送ポート（１９）を開く工程と、続く段階で前記チャンバ（３）に第２所定量の液体を受け入れる準備をさせるために前記急速移送ポートを閉じる工程と、前記第１所定量の液体を出口タンク（１８）から下水設備まで圧送して前記出口タンクを空にする工程とを包含する方法。
【請求項２】
さらに、第１所定量の液体をチャンバ（３）に導入する前に、前記第１所定量の液体を入口タンク（５）に導入して前記第１所定量の液体を準備する工程を包含する、請求項１に記載の方法。
【請求項３】
さらに、入口ポート（６）を開くことによって、第１所定量の液体を放出する工程を包含し、前記入口ポートが急速移送ポート・タイプであり、対象物の清浄化のために前記第１所定量の液体をチャンバ（３）へ直ちに移送する、請求項２に記載の方法。
【請求項４】
さらに、ノズルを通すことなく第１所定量の液体をチャンバ（３）に導入する工程を包含する、請求項１〜３のいずれか１つに記載の方法。
【請求項５】
循環工程中に、チャンバ（３）からノズルまで圧送するときに液体が加圧される、請求項１〜４のいずれか１つに記載の方法。
【請求項６】
チャンバ（３）と出口タンク（１８）との間の即時移送が、なんらのさらなる流れ制御を行うことなく直接的に行われる、請求項１〜５のいずれか１つに記載の方法。
【請求項７】
健康管理対象物のような対象物を清浄化するための液体消毒装置であって、清浄化のために前記対象物を受け入れるように配置したチャンバ（３）と、前記チャンバ（３）で液体を散布するノズルを包含する噴霧装置（１７）と、下水設備に接続した出口タンク（１８）とを包含する消毒装置において、前記チャンバ（３）が、対象物の清浄化のためのノズルを包含する前記噴霧装置（１７）によって循環させられている所定量の液体を受け入れるようになっており、消毒装置が、さらに、前記チャンバ（３）と出口タンク（１８）とを液体流通接続し、前記チャンバと前記出口タンクとの間に配置したなんらの配管なしに、前記チャンバから前記出口タンクまで第１所定量の液体の即時移送を行わせる急速移送ポート（１９）を包含することを特徴とする上記消毒装置。
【請求項８】
チャンバから出口タンク（１８）への第１所定量の液体の即時移送のための通路（３０）が、なんらさらなる流れ制御を行うことなくほぼ直接的な処理量を得るための障害のない通路を構成するようになっている、請求項７に記載の消毒装置。
【請求項９】
チャンバの出口（３２）が出口タンクの入口（３３）となるように配置してある、請求項７または８に記載の消毒装置。
【請求項１０】
出口タンク（１８）へ直接移送されることになっている第１所定量がチャンバ（３）内での清浄化段階で必要とする量に対応する、請求項７〜９のいずれか１つに記載の消毒装置。
【請求項１１】
出口タンク（１８）に直接移送される第１所定量が、チャンバ内のほぼ全部の液体量である、請求項７〜１０のいずれか１つに記載の消毒装置。
【請求項１２】
チャンバ出口（３２）が、出口タンク（１８）の入口（３３）よりも垂直方向に高いレベルに配置してあり、移送が重力により行われる、請求項７〜１１のいずれか１つに記載の消毒装置。
【請求項１３】
さらに、入口ポート（６）を経てチャンバ（３）にほぼ第１所定量の液体を導入するようになっている入口タンク（５）を包含し、前記入口ポートが急速移送ポート・タイプである、請求項７〜１２のいずれか１つに記載の消毒装置。
【請求項１４】
入口ポート（６）が、ノズルを通すことなく第１所定量の液体をチャンバ（３）に導入するようになっている、請求項１３に記載の消毒装置。
【請求項１５】
急速移送ポート（１９）は、好ましくは毎秒１リットルを超える、より好ましくは毎秒２リットルを超える、最も好ましくは毎秒３リットルを超える流速で液体を移送するようになっている、請求項７〜１４のいずれか１つに記載の消毒装置。
【請求項１６】
移送される第１所定量の液体が、１０〜１５０リットル、より好ましくは１５〜７０リットル、最も好ましくは２０〜５５リットルの体積である、請求項７〜１５のいずれか１つに記載の消毒装置。
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
少なくとも１つの甘味料または甘味増強剤と結合可能なＣＳＲ：：Ｔ１Ｒキメラタンパク質であって、配列番号２または配列番号２０と少なくとも９０％以上の配列同一性を有する実質的に相同なＣＳＲ：：Ｔ１Ｒ２ポリペプチド、配列番号４または配列番号２２と少なくとも９０％以上の配列同一性を有する実質的に相同なＣＳＲ：：Ｔ１Ｒ３ポリペプチドからなる群から選択される１または２以上のＣＳＲ：：Ｔ１Ｒを含む、前記ＣＳＲ：：Ｔ１Ｒキメラタンパク質。
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
ガス雰囲気からエテンを除去する方法であって、
ヨウ素ドープ二酸化チタンを少なくともある程度エテンを含むガス雰囲気に接触させる工程、並びに
該ヨウ素ドープ二酸化チタンを３００乃至７００ｎｍの波長の光で照射する工程、
を含む方法。
【請求項２】
天然又は合成高分子に取り込まれているヨウ素ドープ二酸化チタンを含む組成物。
【請求項３】
ヨウ素ドープ二酸化チタン。
【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
１種又はそれより多くの顔料又は染料を、温室用フィルム又はガラス或いは小トンネルカバー、遮光ネット及びスクリーン用フィルム又はフィラメント、マルチフィルム、幼令植物の保護用の不織物又は成形物の形態にある熱可塑性又は架橋されたポリマーに配合し、
そして植物を、熱可塑性又は架橋されたポリマーを通して又は該ポリマー上からエネルギー線に晒すことにより、農業用途においてバイオマス生産を増進させる方法であって、ａ）得られた、３８０ｎｍないし４５０ｎｍの範囲内の平均光強度変化（ＬＩＶ）が、次式：
（ＬＩＶ410-450 −ＬＩＶ380-410 ）／｜ＬＩＶ410-450 ｜＝｛［（Ｉ−Ｉ0 ）／Ｉ0 ］410-450 −［（Ｉ−Ｉ0 ）／Ｉ0 ］380-410 ｝／｛［（Ｉ−Ｉ0 ）／Ｉ0 ］410-450 の絶対値｝≦０．０４で表わされ、
ｂ）得られた、４１０ｎｍないし５００ｎｍの範囲内の平均光強度変化が、次式：
（ＬＩＶ410-450 −ＬＩＶ450-500 ）／｜ＬＩＶ410-450 ｜＝｛［（Ｉ−Ｉ0 ）／Ｉ0 ］410-450 −［（Ｉ−Ｉ0 ）／Ｉ0 ］450-500 ｝／｛［（Ｉ−Ｉ0 ）／Ｉ0 ］410-450 の絶対値｝≦−０．１５で表わされ、そして
ｃ）得られた、４２０ｎｍないし４５０ｎｍの範囲内の平均光強度変化が、次式：
ＬＩＶ410-450 ＝−０．９０≦［（Ｉ−Ｉ0 ）／Ｉ0 ］410-450 ≦−０．１０又は＋０．０５≦［（Ｉ−Ｉ0 ）／Ｉ0 ］410-450-≦＋０．５０で表わされ、
前記各式中、
それぞれの波長範囲におけるＩ0 が、波長間隔を乗じられた、顔料を含まない試料の範囲における平均光強度変化を表わし、
それぞれの波長範囲におけるＩが、波長間隔を乗じられた、顔料を含む試料の範囲における平均光強度変化を表わす、
ことを特徴とする方法。
【請求項２】
前記１種又はそれより多くの顔料又は染料が、前記熱可塑性又は架橋されたポリマーの質量に基づいて、全体として０．０１質量％ないし２質量％の量で配合されている、請求項１記載の方法。
【請求項３】
前記顔料が、モノアゾイエロー顔料、ジアゾ縮合顔料、アゾレーキ化又は塩顔料、金属錯体顔料、金属塩顔料、イソインドリン顔料、イソインドリノン顔料、アントラキノン顔料、アントラピリミジン顔料、キノフタロン顔料及び他のヘテロ環顔料からなる群から選択された黄色顔料である、請求項１記載の方法。
【請求項４】
前記顔料が、Ｃ．Ｉ．顔料イエロー１８４、Ｃ．Ｉ．顔料イエロー９３、Ｃ．Ｉ．顔料イエロー９５、Ｃ．Ｉ．顔料イエロー１６８、Ｃ．Ｉ．顔料イエロー６８、Ｃ．Ｉ．顔料イエロー１８３、Ｃ．Ｉ．顔料イエロー１０９、Ｃ．Ｉ．顔料イエロー１３、Ｃ．Ｉ．顔料イエロー６２、Ｃ．Ｉ．顔料イエロー１９９、Ｃ．Ｉ．顔料イエロー１１０、Ｃ．Ｉ．顔料イエロー１２８、Ｃ．Ｉ．顔料イエロー１８０、Ｃ．Ｉ．顔料イエロー１５５、Ｃ．Ｉ．顔料イエロー１５１、Ｃ．Ｉ．顔料イエロー２１５、Ｃ．Ｉ．顔料イエロー１３８又はＣ．Ｉ．顔料イエロー１３９である、請求項３記載の方法。
【請求項５】
紫外線吸収剤、立体障害アミン光安定剤、フェノール系酸化防止剤、ホスフィット又はホスホナイト、帯電防止剤、加工助剤、充填材又は強化材及び防曇剤からなる群から選択されている少なくとも１種の更なる添加剤が、前記熱可塑性又は架橋されたポリマーに配合されている、請求項１記載の方法。
【誤訳訂正書】
【提出日】平成21年11月13日(2009.11.13)
【誤訳訂正１】
【訂正対象書類名】明細書
【訂正対象項目名】特許請求の範囲
【訂正方法】変更
【訂正の内容】
【特許請求の範囲】
【請求項１】
エラストマーの補強に適した鋼構造体であって、前記鋼構造体はｎ個の鋼フィラメントの全てが密着した１つの構造体に撚られているｎ×１鋼コードであり、
前記ｎ個の鋼フィラメントの少なくとも１つは第１波面および第２波面を備え、前記第１波面は前記第２波面の面と実質的に異なる面に延在することを特徴とする鋼構造体。
【請求項２】
前記鋼フィラメントは、円形の横断面を有することを特徴とする請求項１に記載の鋼構造体。
【請求項３】
前記第１波面は第１波面振幅を有し、前記第２波面は第２波面振幅を有し、前記第１波面振幅と前記第２波面振幅は、鋼フィラメントの直径をｄとした場合に、１．０５×ｄの最小値と５×ｄの最大値との間で変わることを特徴とする請求項２に記載の鋼構造体。
【請求項４】
前記ｎ×１コードが、互いに同じ撚り方向かつ同じ撚りピッチで撚られたｎ個の鋼フィラメントを含むｎ×１緊密コードである請求項１に記載の鋼構造体。
【請求項５】
前記第１波面は、第１波面ピッチを有し、前記第２波面は、第２波面ピッチを有し、前記第１波面ピッチと第２波面ピッチは、鋼フィラメントの直径をｄとした場合に、５×ｄの最小値と５０×ｄの最大値との間で変わることを特徴とする請求項２に記載の鋼構造体。
【請求項６】
前記第１波面は第１波面ピッチを有し、前記第２波面は第２波面ピッチを有し、前記第１波面ピッチは前記第２波面ピッチと異なることを特徴とする先行する請求項のいずれか一つに記載の構造体。
【請求項７】
前記構造体は、引張試験において実質的に異なる２つの弾性係数を示すことを特徴とする請求項６に記載の構造体。
【請求項８】
前記第１波面振幅は前記第２波面振幅と異なることを特徴とする請求項３ないし７のいずれか一つに記載の構造体。
【請求項９】
前記鋼フィラメントは互いに撚られていることを特徴とする請求項１に記載の構造体。
【請求項１０】
前記第１波面ピッチおよび／または前記第２波面ピッチは、前記構造体における前記波面を有する前記要素の撚りピッチよりも小さいことを特徴とする請求項９に記載の構造体。
【請求項１１】
前記構造体は実質的に２本ないし５本の鋼フィラメントからなり、それらの１本ないし４本の鋼フィラメントにゴム浸透性を向上させるために前記第１波面および前記第２波面を設けることを特徴とする請求項９又は１０のいずれか１つに記載の構造体。
【請求項１２】
前記構造体は基本的に２ないし５本の鋼フィラメントからなり、それらの全ての鋼フィラメントに破断点伸びを向上させるために前記第１波面および前記第２波面を設けることを特徴とする請求項９又は１０に記載の構造体。
【請求項１３】
前記構造体は９本ないし１２本の鋼フィラメントからなり、前記鋼フィラメントはすべて同じ撚り方向でかつ同じ撚りピッチで撚られ、前記フィラメントの何本かはゴム浸透性を向上させるために前記第１波面および前記第２波面を備えたことを特徴とする請求項９又は１０に記載の構造体。
【誤訳訂正２】
【訂正対象書類名】明細書
【訂正対象項目名】００１３
【訂正方法】変更
【訂正の内容】
【００１３】
鋼構造体はまた、構成フィラメントの何本かまたはすべてが密着した１つの構造体に撚られている撚り構造体であってもよい。
【誤訳訂正書】
【提出日】平成22年4月16日(2010.4.16)
【誤訳訂正１】
【訂正対象書類名】特許請求の範囲
【訂正対象項目名】請求項４
【訂正方法】変更
【訂正の内容】
【請求項４】
前記ポリマー材が、ポリブチレンテレフタレート又はポリエチレンテレフタレートを主成分とする熱可塑性ポリエステル、コポリエステル、熱可塑性ポリウレタン及びポリアミドの中から選ばれることを特徴とする請求項１から請求項３のいずれかに記載の方法。
【誤訳訂正２】
【訂正対象書類名】明細書
【訂正対象項目名】００１６
【訂正方法】変更
【訂正の内容】
【００１６】
ポリマー材は、
・ポリブチレンテレフタレート又はポリエチレンテレフタ レートを主成分とする熱可塑性ポリエステル
・コポリエステル 
・熱可塑性ポリウレタン
・ポリアミド
の中から選ばれる。
【誤訳訂正３】
【訂正対象書類名】明細書
【訂正対象項目名】００３９
【訂正方法】変更
【訂正の内容】
【００３９】
ポリマー材で皮膜されたスチール・フィラメントを所定の長さ用意する。ポリマー材は、フィラメントの両側において、互いに反対方向に、ナイフの鋭面によって約５ｃｍにわたって長さ方向に除去する。ナイフの鈍面によってポリマー材をわずかに持ち上げる。最後に指でポリマー材をスチール・フィラメントから引っ張りはがすようにする。
【誤訳訂正書】
【提出日】平成22年3月15日(2010.3.15)
【誤訳訂正１】
【訂正対象書類名】明細書
【訂正対象項目名】００２９
【訂正方法】変更
【訂正の内容】
【００２９】
従って、少なくとも１種のモノマーの粗製溶融物の結晶化による精製にあたり、精製されるべき粗製溶融物に懸濁結晶化を行い、該懸濁結晶化の間に生じかつ残留溶融物中に懸濁されたモノマー結晶を第１の機械的分離作業の使用によって残留溶融物から分離し、かつ更なる結晶化工程の少なくとも１つにおいて第１の機械的分離作業後に残留する残留溶融物及び／又は分離された、場合により洗浄されたモノマー結晶をそれらの溶融後に更に精製する方法において、残留溶融物及び／又は再び溶融されたモノマー結晶に、更なる結晶化工程の少なくとも１つへのその経路で、少なくとも１つの更なる機械的な固／液−分離を行うことを特徴とする方法が見いだされた。
【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
Ｔｉ、Ｍｇ、Ｃｌ、及び場合によってはＯＲＩ基（式中、ＲＩは、０．５より低いＯＲＩ／Ｔｉのモル比を与えるような量以下のＣ１〜Ｃ２０炭化水素基である）を含み、以下の特性：
−ＢＥＴ法によって測定して８０ｍ２／ｇより低い表面積；
−水銀法によって測定して０．７０〜１．５０ｃｍ３／ｇの範囲の全多孔度（ＰＴ）；
−０．１〜０．８の範囲の（ＰＴ−ＰＦ）の差（式中、ＰＴは全多孔度であり、ＰＦは１μｍ以下の半径を有する孔による多孔度である）；
−触媒成分の全重量を基準として１０重量％未満の触媒成分中のＴｉの量；
を有することを特徴とする、オレフィン重合用の触媒成分。
【請求項２】
化合物：ＭｇＣｌ２・ｍ（ＲＩＩＩＯＨ）・ｔＨ２Ｏ（式中、０．３≦ｍ≦１．７であり、ｔは０．０１〜０．６であり、ＲＩＩＩは、１〜１２個の炭素原子を有するアルキル、シクロアルキル、又はアリール基である）を、式：Ｔｉ（ＯＲＩＩ）ｎＸｙ−ｎ（式中、ｎは０〜０．５の範囲であり、ｙはチタンの原子価であり、Ｘはハロゲンであり、ＲＩＩは１〜８個の炭素原子を有するアルキル基である）のチタン化合物と反応させる第１工程（ａ）；及び、工程（ａ）から得られる固体生成物を１００℃より高い温度で行う熱処理にかける第２工程（ｂ）；を含む、請求項１に記載の触媒成分の製造方法。
【請求項３】
熱処理を有機金属アルミニウムハロゲン化物の存在下で行う、請求項２に記載の方法。
【請求項４】
（ｂ）から得られる生成物を電子ドナー化合物と接触させる工程（ｃ）を更に含む、請求項２又は３に記載の方法。
【請求項５】
請求項１〜３のいずれかに記載の固体触媒成分とアルキルアルミニウム化合物の反応の生成物を含む触媒系の存在下で行う、エチレンの（共）重合方法。
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
ａ）１つ又はそれ以上のイソシアネート官能性ポリエーテルポリウレタンプレポリマーと；
ｂ）１つ又はそれ以上のポリイソシアネートと１つ又はそれ以上のポリエステルポリオールとの１つ又はそれ以上のプレポリマーであって、前記ポリイソシアネート−ポリエステルポリオール系ポリウレタンプレポリマーの末端基が単官能性ポリアルキレングリコールの残基であるプレポリマー、及び／又は、１つ又はそれ以上の単官能性イソシアネートの残基でキャップされた１つ又はそれ以上のポリエステルポリオールとを含む組成物であって；
約４０から約８０℃の温度において低粘稠ペーストとなり、約４０℃未満の温度において高粘稠ペーストとなる、組成物。
【請求項２】
ｃ）イソシアネート部分とヒドロキシル基との反応のための１つ又はそれ以上の触媒をさらに含む、請求項１に記載の組成物。
【請求項３】
成分ｂ）が、１つ又はそれ以上の単官能性イソシアネートの残基でキャップされた１つ又はそれ以上のポリエステルポリオールを含む、請求項２に記載の組成物。
【請求項４】
前記１つ又はそれ以上の単官能性イソシアネートの残基が、１つ又はそれ以上のイソシアントヒドロカルビルシラン(isocyanto hydrocarbyl silanes)、或いはアリール又はアルカリール(alkaryl)スルホニルイソシアネートの残基を含む、請求項３に記載の組成物。
【請求項５】
前記１つ又はそれ以上の単官能性イソシアネートの残基が、１つ又はそれ以上のアリール又はアルカリールスルホニルイソシアネートの残基を含む、請求項４に記載の組成物。
【請求項６】
成分ｂ）が、１つ又はそれ以上のポリイソシアネートと１つ又はそれ以上のポリエステルポリオールとの１つ又はそれ以上のプレポリマーを含み、前記ポリイソシアネート−ポリエステルポリオールポリウレタンプレポリマー上の末端基が単官能性ポリアルキレングリコールの残基である、請求項２に記載の組成物。
【請求項７】
前記ポリアルキレングリコールがＣ１−１２単官能性アルコールで開始したポリアルキレンオキシド鎖であり、前記ポリアルキレンオキシド鎖が、エチレンオキシ、プロピレンオキシ、ブチレンオキシ、又はそれらの混合物の単位を含む、請求項２に記載の組成物。
【請求項８】
前記単官能性ポリアルキレンオキシドが約５００から約２，０００の分子量を有する、請求項７に記載の組成物。
【請求項９】
前記１つ又はそれ以上の単官能性ポリアルキレングリコールを末端に有するポリイソシアネート−ポリエステルポリオールポリウレタンプレポリマーが、１００部の接着剤組成物当たり約０．１から約１０重量部の量で組成物中に存在する、請求項１、２、６、７、及び８のいずれか１項に記載の組成物。
【請求項１０】
ａ）前記１つ又はそれ以上のイソシアネート官能性ポリエーテル系ポリウレタンプレポリマーが約４０から約７０重量部の量で存在し；
ｂ）前記１つ又はそれ以上の単官能性ポリアルキレングリコールを末端に有するポリイソシアネート−ポリエステル系プレポリマー又はイソシアント(isocyante)キャップされたポリエステルが約０．５から約１０重量部の量で存在し；
ｃ）イソシアネート部分とヒドロキシル基との反応のための１つ又はそれ以上の触媒が約０．００５から約２重量部の量で存在し；
ｄ）１つ又はそれ以上の種類のカーボンブラックが約５から約３５重量部の量で存在し；
組成物の総重量部が１００である、請求項１から９のいずれか１項に記載の組成物。
【請求項１１】
約４５から約７０℃の温度において低粘稠ペーストとなり、約３５℃又はそれ以下の温度において高粘稠ペーストとなる、請求項１から１０のいずれか１項に記載の組成物。
【請求項１２】
２つ又はそれ以上の基材を互いに接合する方法であって、前記基材が接触する領域の少なくとも一部に沿って配置された請求項１から１１のいずれか１項に記載の組成物と、前記２つ又はそれ以上の基材を互いに接触させることを含み、前記組成物が低粘稠状態にある、方法。
【請求項１３】
前記１つ又はそれ以上の基材と接触させる前に前記組成物が約５０から約９０℃に加熱される、請求項１２に記載の方法。
【請求項１４】
前記基材の少なくとも１つが窓ガラスである、請求項１５に記載の方法。
【請求項１５】
少なくとも１つの他の基材が建築物又は乗り物である、請求項１４に記載の方法。
【請求項１６】
高粘稠ペースト状態の組成物は５０，０００Ｐａｓより大きい粘度を有し、低粘稠ペースト状態の組成物は１０，０００Ｐａｓ未満の粘度を有する、請求項１から１１のいずれか１項に記載の組成物。